(57)【要約】【課題】ソステヌートペダルの踏込みの解除時における弦への複数のダンパーの当接タイミングを互いに同じになるように容易に調整することができ、ひいては、グランドピアノの演奏性を高めることができるグランドピアノのダンパー装置を提供する。【解決手段】このグランドピアノ2のダンパー装置1は、対応する鍵5の離鍵に伴って、弦Sに当接する当接位置に移動するとともに、対応する鍵5の押鍵に伴って、弦Sから離れる乖離位置に移動するダンパー20と、軟質金属で構成され、ダンパー20に設けられたサスタニングタンジェント31と、ソステヌートペダル50が踏み込まれているときに、押鍵された鍵5に対応するダンパー20を乖離位置に保持するために、ダンパー20に設けられたサスタニングタンジェント31に係合し、ソステヌートペダル50の踏込みが解除されたときに、サスタニングタンジェント31から外れる保持部材40と、を備える。【選択図】図2
2011112951.tif 000002
【特許請求の範囲】
【請求項１】
鍵の押鍵に伴い、対応する弦の振動を許容し、前記鍵の離鍵に伴い、対応する前記弦の振動を停止するとともに、ソステヌートペダルの操作に伴って連動するグランドピアノのダンパー装置であって、
前記鍵ごとに設けられ、当該鍵に対応する前記弦に当接する当接位置と、当該弦から離れた乖離位置との間で移動可能に構成され、対応する前記鍵の離鍵に伴って前記当接位置に移動するとともに、対応する前記鍵の押鍵に伴って前記乖離位置に移動するダンパーと、
軟質金属で構成され、前記ダンパーに設けられたサスタニングタンジェントと、
前記ソステヌートペダルが踏み込まれているときに、押鍵された前記鍵に対応する前記ダンパーを前記乖離位置に保持するために、当該ダンパーに設けられた前記サスタニングタンジェントに係合し、前記ソステヌートペダルの踏込みが解除されたときに、前記サスタニングタンジェントから外れる保持部材と、
を備えることを特徴とするグランドピアノのダンパー装置。
【発明の詳細な説明】
【技術分野】
【０００１】
本発明は、ソステヌートペダルの操作に伴って連動し、押鍵された鍵に対応する弦の振動のみを持続させるソステヌートペダル効果を付与するためのグランドピアノのダンパー装置に関する。
【背景技術】
【０００２】
従来、この種のダンパー装置として、例えば特許文献１に開示されたものが知られている。以下、演奏者から見て手前側を「前」、奥側を「後」、鍵の並び方向を「左右方向」として説明を行う。このダンパー装置は、複数の鍵の全体にわたって左右方向に延びるダンパーレバーレールおよびサスタニングロッドと、鍵ごとに設けられたダンパーを備えている。このサスタニングロッドは、回動自在に構成され、ソステヌートペダルに連結されており、径方向に突出する爪部を有している。また、各ダンパーは、ダンパーレバーおよびダンパーヘッドを有しており、鍵の後方に配置されている。このダンパーレバーは、その後端部が上記のダンパーレバーレールに回動自在に取り付けられており、その前端部の下面が鍵の後端部の上面に対向している。また、ダンパーレバーの前部には、サスタニングタンジェントおよびダンパーワイヤが取り付けられている。このダンパーワイヤは、ダンパーレバーから上方に延びており、ダンパーヘッドとともに上下方向に移動する。上記のダンパーヘッドは、ダンパーワイヤの上端に取り付けられており、水平に張られた弦に上方から当接している。
【先行技術文献】
【特許文献】
【０００３】
【特許文献１】特開２００２−３２３８８６号公報
【発明の概要】
【発明が解決しようとする課題】
【０００４】
上述したように構成されたダンパー装置では、鍵が押鍵されると、ダンパーレバーが鍵で突き上げられることにより上方に回動する。それに伴い、ダンパーレバーに設けられたダンパーワイヤおよびダンパーヘッドが上方に移動し、ダンパーヘッドが弦から離れる。その状態で、ハンマーが弦を打弦することにより、弦が振動し、楽音が発生する。その後、鍵が離鍵されると、ダンパーレバーが下方に復帰回動し、それに伴い、ダンパーヘッドが下方に移動し、弦に当接することによって、弦の振動すなわち楽音が停止する。
【０００５】
また、鍵が押鍵されている状態で、ソステヌートペダルが踏み込まれると、サスタニングロッドが回動するとともに、その爪部が、押鍵された鍵に対応するダンパーレバーのサスタニングタンジェントに、下方から当接し、係合することにより、ダンパーヘッドが、弦から上方に離れた状態に保持される。以上により、押鍵された鍵に対応する弦の振動のみが持続する結果、いわゆるソステヌートペダル効果が付与される。そして、この状態からソステヌートペダルの踏込みが解除されると、サスタニングロッドが復帰回動するとともに、爪部がサスタニングタンジェントから離れる。これにより、ダンパーレバーが復帰回動する結果、ダンパーヘッドが弦に当接することによって、楽音が停止する。
【０００６】
また、ソステヌートペダルの踏込みに伴い、上記のようにサスタニングロッドの爪部がサスタニングタンジェントに係合するので、それに伴う雑音の発生や部品の変形を防止するために、サスタニングタンジェントの爪部との係合部には、一般に、フェルトで構成された緩衝材が貼り付けられている。このため、複数のダンパーの間での緩衝材の貼り付け位置の違いや、緩衝材の厚さの違いによって、上述したソステヌートペダルの踏込み中におけるサスタニングタンジェントへの爪部の係り具合が、複数のダンパーの間で互いに異なる場合がある。その場合には、例えば複数の鍵の押鍵により和音を発音するとともにソステヌートペダルを踏み込んだ後、ソステヌートペダルの踏込みを解除したときに、これらの複数の鍵にそれぞれ対応する複数のダンパーにおいて、爪部がサスタニングタンジェントから離れるタイミングがばらつき、その結果、ダンパーヘッドが弦に当接するタイミングもばらつき、ひいては、和音を構成する複数の楽音の長さが不揃いになり、グランドピアノの演奏性が低くなってしまう。
【０００７】
また、一般に、ダンパーによる楽音の停止を適切に行うべく、ダンパーヘッドを弦に適切に当接させるために、ダンパーヘッドの下面が弦と平行になるように、弦に対するダンパーヘッドの角度が調整される。この調整は、ダンパーワイヤを前後方向に曲げることによって行われる。また、特許文献１には明示されていないものの、ダンパーワイヤは、ダンパーレバーに回動自在に設けられたダンパーワイヤフレンジに取り付けられており、このダンパーワイヤフレンジに、サスタニングタンジェントが取り付けられている。以上から、ダンパーヘッドの角度を調整するためにダンパーワイヤを前後方向に曲げると、それに伴い、ダンパーワイヤフレンジがダンパーレバーに対して傾くため、ダンパーワイヤフレンジの傾きに応じて、サスタニングタンジェントへの爪部の係り具合が、鍵ごとにばらつく場合がある。その場合にも、ソステヌートペダルの踏込みの解除時において、複数のダンパーヘッドの間で弦への当接タイミングがばらつき、和音を構成する複数の楽音の長さが不揃いになってしまう。
【０００８】
上記のような不具合を解消するために、サスタニングタンジェントへの爪部の係り具合を調整することが考えられる。しかし、一般に、サスタニングタンジェントは合成樹脂の成形品や木質材で構成されているため、この調整を容易に行うことができない。
【０００９】
本発明は、以上のような課題を解決するためになされたものであり、ソステヌートペダルの踏込みの解除時における弦への複数のダンパーの当接タイミングを互いに同じになるように容易に調整することができ、ひいては、グランドピアノの演奏性を高めることができるグランドピアノのダンパー装置を提供することを目的とする。
【課題を解決するための手段】
【００１０】
上記の目的を達成するため、請求項１に係る発明は、鍵の押鍵に伴い、対応する弦の振動を許容し、鍵の離鍵に伴い、対応する弦の振動を停止するとともに、ソステヌートペダルの操作に伴って連動するグランドピアノのダンパー装置であって、鍵ごとに設けられ、鍵に対応する弦に当接する当接位置と、弦から離れた乖離位置との間で移動可能に構成され、対応する鍵の離鍵に伴って当接位置に移動するとともに、対応する鍵の押鍵に伴って乖離位置に移動するダンパーと、軟質金属で構成され、ダンパーに設けられたサスタニングタンジェントと、ソステヌートペダルが踏み込まれているときに、押鍵された鍵に対応するダンパーを乖離位置に保持するために、ダンパーに設けられたサスタニングタンジェントに係合し、ソステヌートペダルの踏込みが解除されたときに、サスタニングタンジェントから外れる保持部材と、を備えることを特徴とする。
【００１１】
この構成によれば、ダンパーが鍵ごとに設けられている。また、対応する鍵の押鍵に伴い、ダンパーが乖離位置に移動し、弦から離れることにより、弦の振動が許容され、楽音が発生するとともに、その後の鍵の離鍵に伴い、ダンパーが当接位置に移動し、弦に当接することにより、弦の振動および楽音が停止する。
【００１２】
また、ソステヌートペダルが踏み込まれているときには、保持部材が、押鍵された鍵に対応するダンパーに設けられたサスタニングタンジェントに係合することによって、そのダンパーが乖離位置に保持される。これにより、ソステヌートペダルが踏み込まれている限り、鍵が離鍵されても、この鍵に対応するダンパーが当接位置に移動することがないので、弦の振動が継続し、いわゆるソステヌートペダル効果が付与される。
【００１３】
この状態からソステヌートペダルの踏込みが解除されると、保持部材がサスタニングタンジェントから外れ、それにより、乖離位置へのダンパーの保持が解除される。この場合、鍵が離鍵されているときには、ダンパーが当接位置に移動し、弦の振動が停止される。
【００１４】
また、上述した構成によれば、サスタニングタンジェントが軟質金属で構成されていることから、サスタニングタンジェント自身を自由に曲げることができるので、ソステヌートペダルの踏込み中におけるサスタニングタンジェントへの保持部材の係り具合を調整することができる。これにより、ソステヌートペダルの踏込みの解除時における弦への複数のダンパーの当接タイミングを互いに同じになるように容易に調整できるので、和音を構成する複数の楽音の長さを揃えることができ、したがって、グランドピアノの演奏性を高めることができる。
【図面の簡単な説明】
【００１５】
【図１】本発明の実施形態によるダンパー装置を備えたグランドピアノの概略構成を示す図である。
【図２】図１のダンパー装置の拡大図である。
【図３】ソステヌートペダルの操作に伴うダンパー装置の動作例を示す図である。
【図４】支持部材およびサスタニングタンジェントの斜視図である。
【図５】ダンパーワイヤフレンジおよびサスタニングタンジェントの拡大図である。
【発明を実施するための形態】
【００１６】
以下、図面を参照しながら、本発明の好ましい実施形態を詳細に説明する。図１は、本発明のダンパー装置１を備えたアコースティックタイプのグランドピアノ２の概略構成を示している。なお、以下の説明では、グランドピアノ２を演奏者から見た場合の手前側（図１の右側）を「前」、奥側（図１の左側）を「後」とし、さらに左側および右側をそれぞれ「左」および「右」として、説明を行うものとする。
【００１７】
同図に示すように、このグランドピアノ２は、棚板３に筬４を介して載置された複数（例えば８８個）の鍵５（１つのみ図示）と、鍵５ごとに設けられたハンマー６と、鍵５の後部上方に設けられたアクション７などを備えている。
【００１８】
鍵５は、その中央に形成されたバランスピン孔（図示せず）を介して、筬４に立設されたバランスピン８に回動自在に支持されている。
【００１９】
アクション７は、ウィッペンレール９に取り付けられている。ウィッペンレール９は、複数の鍵５の全体にわたって左右方向に延びており、筬４の左右の端部とその中間の所定の位置に設けられた複数のブラケット１０（１つのみ図示）に渡されている。また、アクション７は、鍵５ごとに設けられたウィッペン１１、レペティションレバー１２およびジャック１３を有している。各ウィッペン１１は、その後端部において、ウィッペンフレンジ１１ａを介してウィッペンレール９に回動自在に取り付けられており、キャプスタンスクリュー１５を介して鍵５の後部に載置されている。また、レペティションレバー１２およびジャック１３は、ウィッペン１１に回動自在に取り付けられている。
【００２０】
一方、ハンマー６は、前後方向に延びるハンマーシャンク６ａと、ハンマーシャンク６ａの後端部に取り付けられたハンマーヘッド６ｂを有している。また、ハンマー６は、ハンマーシャンク６ａの前端部において、ハンマーシャンクレール１４にねじ止めされたハンマーシャンクフレンジ６ｃに、回動自在に支持されており、図１に示す離鍵状態では、シャンクローラ１６を介してレペティションレバー１２に載置されている。
【００２１】
以上の構成により、鍵５が押鍵されると、鍵５がバランスピン８を中心として図１の時計方向に回動するのに伴い、ウィッペン１１がキャプスタンスクリュー１５を介して突き上げられ、上方に回動する。このウィッペン１１の回動に伴い、レペティションレバー１２およびジャック１３がウィッペン１１と一緒に上方に移動し、ジャック１３がシャンクローラ１６を介してハンマー６を突き上げることによって、ハンマー６が同図の時計方向に回動する。そして、この回動の途中で、ジャック１３がシャンクローラ１６から抜け、その直後においてハンマーヘッド６ｂが弦Ｓを打弦する。
【００２２】
図１に示すように、本発明に係るダンパー装置１は、鍵５の後方に配置されている。図２にも示すように、ダンパー装置１は、鍵５ごとに設けられた複数のダンパー２０と、ダンパーレール２１と、各ダンパー２０に設けられたサスタニングタンジェント３１と、保持部材４０などを備えている。
【００２３】
各ダンパー２０は、ダンパーレバー２２と、ダンパーレバー２２に取り付けられたダンパーワイヤフレンジ２３と、ダンパーワイヤフレンジ２３から上方に延びるダンパーワイヤ２４と、ダンパーワイヤ２４に取り付けられたダンパーヘッド２５を有している。ダンパーワイヤ２４は、鋼などの金属で構成されている。
【００２４】
ダンパーレール２１は、複数の鍵５の左右方向の全体にわたって延びている。ダンパーレール２１の前側には、リフティングレール２７が設けられている。このリフティングレール２７は、アルミニウムの押出成形品で構成され、中空に形成されており、鍵５の左右方向の全体にわたって延びている。リフティングレール２７は、上下方向に延びるリフティングレール突揚棒２８に載置されている。このリフティングレール突揚棒２８は、その下端部においてダンパーペダル（図示せず）に連結されている。また、リフティングレール２７の前部の上面には、リフティングレールクロス２７ａが貼り付けられている。
【００２５】
ダンパーレバー２２は、前後方向に延びており、後端部において、ダンパーフレンジ２２ａを介してダンパーレール２１に、回動自在に取り付けられている。また、ダンパーレバー２２には、パイロットスクリュー２９が下方からねじ込まれており、ダンパーレバー２２は、このパイロットスクリュー２９を介してリフティングレール２７に載置されている。図１に示す離鍵状態では、ダンパーレバー２２の前端部が、対応する鍵５の後端部に上方から対向している。
【００２６】
ダンパーワイヤフレンジ２３は、例えばＡＢＳ樹脂などの耐衝撃性に優れた合成樹脂の射出成形品で構成されており、本体部２３ａと、本体部２３ａの後部から下方に互いに平行に延びる左右一対の腕部２３ｂ，２３ｂ（１つのみ図示）を有している。これらの腕部２３ｂ，２３ｂの下部には、側方に貫通する孔（いずれも図示せず）が互いに対向するように形成されている。そして、これらの孔とダンパーレバー２２の孔（図示せず）に通されたピン３５を介して、ダンパーワイヤフレンジ２３がダンパーレバー２２に回動自在に取り付けられている。
【００２７】
また、ダンパーワイヤフレンジ２３には、支持部材３０を介してサスタニングタンジェント３１が取り付けられている。この支持部材３０は、合成樹脂の成形品で構成されており、図４に示すように、左右方向に延びる直方体状の取付部３０ａと、取付部３０ａの中央から後方に延びる支持部３０ｂで構成されている。
【００２８】
支持部３０ｂは、ダンパーワイヤフレンジ２３の腕部２３ｂ，２３ｂの間に、若干のクリアランスをもって係合している。また、支持部３０ｂには、孔（図示せず）が左右方向に貫通するように形成されている。そして、この孔に通された水平なピン３６を介して、支持部材３０がダンパーワイヤフレンジ２３に回動自在に取り付けられている。また、支持部３０ｂには、支持部材３０をダンパーワイヤフレンジ２３の本体部２３ａ側（図２の反時計方向）に付勢するためのばね（図示せず）が取り付けられている。また、支持部材３０の本体部２３ａ側への回動は、サスタニングタンジェント３１に貼り付けた後述する緩衝材３２が本体部２３ａに当接することによって規制され、それにより、支持部材３０は通常、図２に示す位置に保持されている。
【００２９】
サスタニングタンジェント３１は、支持部材３０の取付部３０ａに取り付けられている。サスタニングタンジェント３１は、例えばアルミニウムや真鍮、銅などの軟質金属で構成され、矩形の板状に形成されており、サスタニングタンジェント３１の左右方向の長さは、取付部３０ａのそれと同じであり、前後方向の長さは、取付部３０ａのそれよりも大きい。また、サスタニングタンジェント３１は、その後端部において、取付部３０ａの上面に接着によって貼り付けられており、図２および図４（ｂ）に示すように、取付部３０ａおよび本体部２３ａよりも前方に突出している。また、サスタニングタンジェント３１には、その上面から下面にわたって、それらを覆うように、例えば１枚のフェルトで構成された緩衝材３２が巻かれた状態で貼り付けられている。
【００３０】
ダンパーワイヤフレンジ２３の本体部２３ａには、ダンパーワイヤ２４の先端部が上方から差し込まれており、本体部２３ａの前面に取り付けられたねじ３７を締め付けることによって、ダンパーワイヤ２４がダンパーワイヤフレンジ２３に固定されるとともに、その高さが調整される。
【００３１】
ダンパーヘッド２５は、木材で構成された本体部２５ａと、本体部２５ａの下面に取り付けられた前後２つのダンパーフェルト２５ｂ，２５ｂで構成されており、本体部２５ａにダンパーワイヤ２４が係合している。ダンパーヘッド２５は、離鍵状態では、弦Ｓに上方から当接する当接位置に保持されている（図１および図２参照）。
【００３２】
ダンパーワイヤ２４は、ダンパーホルダ２６に通されている。このダンパーホルダ２６は、複数の鍵５の全体にわたって左右方向に延びている。ダンパーホルダ２６の後部の下面には、付木２６ａが取り付けられており、ダンパーホルダ２６は、この付木２６ａを介して響板（図示せず）に固定されている。ダンパーホルダ２６には、上下方向に貫通する案内孔（図示せず）が形成されており、ダンパーワイヤ２４はこの案内孔に通され、上下方向に案内される。
【００３３】
保持部材４０は、ダンパーワイヤフレンジ２３の前側に設けられたロッド４１と、ロッド４１と一体の保持部４２を有している。
【００３４】
ロッド４１は、１本の金属製の丸棒で構成されており、複数のダンパー２０の全体にわたって左右方向に延びており、その両端部において打ち廻し（図示せず）に回動自在に支持されている。ロッド４１の一端部には駆動レバー（図示せず）が設けられており、ロッド４１は、この駆動レバーを介してソステヌートペダル５０に連結され、ソステヌートペダル５０の操作に連動して回動する。
【００３５】
保持部４２は、ロッド４１と同じ材質の金属で構成されるとともに、複数のダンパー２０の全体にわたって左右方向に延びており、溶接によってロッド４１に一体に取り付けられている。また、保持部材４０は、ソステヌートペダル５０が踏み込まれていないときには、保持部４２がサスタニングタンジェント３１から退避した、図３（ａ）に示す非保持位置に保持される。
【００３６】
この状態から、ソステヌートペダル５０が踏み込まれると、それに連動して、駆動レバーを介してロッド４１が図３の時計方向に回動する。これにより、保持部材４０は、保持部４２がサスタニングタンジェント３１側に回り込んだ、図３（ｂ）および（ｃ）に示す保持位置に移動する。
【００３７】
以上の構成により、押鍵に伴って鍵５が図１の時計方向に回動すると、鍵５の後端部でダンパーレバー２２が突き上げられる。これにより、ダンパーレバー２２は、その後端部を中心として図１の反時計方向に回動する。この回動に伴い、ダンパーワイヤ２４がダンパーホルダ２６の案内孔で案内されながら、ダンパーワイヤフレンジ２３、ダンパーワイヤ２４およびダンパーヘッド２５が一緒に上方に移動する。これにより、ダンパーヘッド２５が弦Ｓから離れた乖離位置に移動する（図３（ａ））。このように弦Ｓの振動が許容された状態で、鍵５に連動して回動するハンマー６が弦Ｓを打弦することによって、弦Ｓが振動し、楽音が発生する。
【００３８】
一方、鍵５が離鍵されると、ダンパー２０の自重により、ダンパーレバー２２が図１の時計方向に復帰回動するのに伴い、上記と逆の動作でダンパーヘッド２５などが下方に移動し、ダンパーヘッド２５が弦Ｓに当接する当接位置に移動することによって、弦Ｓの振動が停止され、楽音が停止される。
【００３９】
また、鍵５が押鍵されている状態で、ソステヌートペダル５０が踏み込まれると、保持部材４０が、図３（ａ）に示す非保持位置から同図（ｂ）に示す保持位置に移動する。この保持位置への移動に伴い、保持部４２が、上方に移動したサスタニングタンジェント３１に下方から当接し、係合する。これにより、ダンパー２０がサスタニングタンジェント３１を介してロッド４１に支持されることによって、ダンパー２０が乖離位置に保持される（図３（ｂ））。
【００４０】
この状態から、鍵５が離鍵されると、ダンパー２０が乖離位置に保持されていることで（図３（ｃ））、弦Ｓの振動が継続し、いわゆるソステヌートペダル効果が付与される。
【００４１】
このようにソステヌートペダル効果が付与されているときに、ソステヌートペダル５０の踏込みが解除されると、それに連動して保持部材４０が保持位置から非保持位置に移動することで、保持部４２がサスタニングタンジェント３１から外れ、乖離位置へのダンパー２０の保持が解除される。この場合において、鍵５が離鍵されているときには、保持部４２がサスタニングタンジェント３１から外れるのに伴って、ダンパー２０が当接位置に移動し、弦Ｓの振動が停止される（図２）。
【００４２】
また、ソステヌートペダル５０が踏み込まれている状態において、ソステヌートペダル効果が付与されていない他の鍵５を押鍵した場合には、支持部材３０が、サスタニングタンジェント３１を介して保持部４２で押圧され、ばねの付勢力に抗して図２の時計方向に回動することにより、ダンパー２０の乖離位置への移動が支障なく行われる。
【００４３】
また、このダンパー装置１では、サスタニングタンジェント３１を以下のようにして調整する。すなわち、サスタニングタンジェント３１をペンチなどによって曲げることにより、サスタニングタンジェント３１への保持部４２の係り具合を調整する。
【００４４】
より具体的には、楽音の停止タイミングが遅いときには、サスタニングタンジェント３１を図５（ａ）に示すように上方に曲げる。これにより、保持部材４０で保持されている状態におけるダンパー２０の位置が低くなることによって、楽音の停止タイミングがより早くなるように調整される。一方、楽音の停止タイミングが早いときには、サスタニングタンジェント３１を図５（ｂ）に示すように下方に曲げる。これにより、保持部材４０で保持されている状態におけるダンパー２０の位置が高くなることによって、楽音の停止タイミングがより遅くなるように調整される。
【００４５】
以上の調整により、ソステヌートペダル５０の踏込みの解除時における弦Ｓへの複数のダンパー２０の当接タイミングを互いに同じになるように容易に調整できるので、和音を構成する複数の楽音の長さを揃えることができ、したがって、グランドピアノ２の演奏性を高めることができる。
【００４６】
なお、本発明は、説明した実施形態に限定されることなく、種々の態様で実施することができる。例えば、実施形態で示したサスタニングタンジェント３１を構成する軟質金属はあくまで一例であり、軟質のものであれば、他の金属で構成してもよい。また、実施形態では、サスタニングタンジェント３１として、厚さが一定の板状のものを用いているが、厚さが前側に向かって狭まるくさび状のものを用いてもよい。
【００４７】
さらに、実施形態は、本発明をアコースティックタイプのグランドピアノに適用した例であるが、これに限らず、自動演奏タイプや消音タイプなどの他のタイプのグランドピアノに適用してもよいことはもちろんである。その他、本発明の趣旨の範囲内で、細部の構成を適宜、変更することが可能である。
【符号の説明】
【００４８】
１  ダンパー装置
２  グランドピアノ
５  鍵
２０  ダンパー
３１  サスタニングタンジェント
４０  保持部材
５０  ソステヌートペダル
Ｓ  弦
【図１】
2011112951.tif 000003
【図２】
2011112951.tif 000004
【図３】
2011112951.tif 000005
【図４】
2011112951.tif 000006
【図５】
2011112951.tif 000007